(57)【特許請求の範囲】
【請求項１】
育苗器（２）に播種する播種機であって、前記育苗器（２）を一方向に搬送する搬送経路（３）を備え、該搬送経路（３）に沿って該搬送経路（３）の上手側から順に育苗器（２）に床土を詰める床土詰装置（６）と育苗器（２）に播種する播種装置（７）と育苗器（２）に覆土する覆土装置（８）とを設け、床土詰装置（６）には床土となる培土を貯留する床土タンク（５４）を設け、播種装置（７）には播種する種子を貯留する種子タンク（６８）を設け、覆土装置（８）には覆土となる培土を貯留する覆土タンク（８４）を設け、種子タンク（６８）の上端の開口よりも覆土タンク（８４）の上端の開口及び床土タンク（５４）の上端の開口を低位に配置し、搬送経路（３）に設けた左右の搬送ガイド（１５）の間で育苗器（２）を搬送する構成とし、搬送経路（３）は、床土詰部搬送コンベア（１７）、播種部搬送コンベア（１８）及び覆土部搬送コンベア（２８）を備え、育苗器（２）に灌水する灌水装置（２９）を設けた灌水部コンベア（６３）を設け、播種部搬送コンベア（１８）と覆土部搬送コンベア（２８）との間に覆土前コンベア（６４）を設け、灌水部コンベア（６３）を、装着することで灌水装置（２９）と播種装置（７）との間の距離が育苗器（２）の搬送方向の長さよりも長くなる構成とした伸長用のコンベアと、装着することで灌水装置（２９）と播種装置（７）との間の距離が育苗器（２）の搬送方向の長さよりも短くなる構成とした短縮用のコンベアとに付け替え可能な構成とし、覆土前コンベア（６４）を、装着することで播種装置（７）と覆土装置（８）との間の距離が育苗器（２）の搬送方向の長さよりも長くなる構成とした伸長用のコンベアと、装着することで播種装置（７）と覆土装置（８）との間の距離が育苗器（２）の搬送方向の長さよりも短くなる構成とした短縮用のコンベアとに付け替え可能な構成とし、灌水部コンベア（６３）を、床土詰装置（６）と播種装置（７）の間又は播種装置（７）と覆土装置（８）の間に選択的に装着できる構成とした播種機。
【請求項２】
床土タンク（５４）を変形可能な弾性体（１１３）を介して支持した請求項１に記載の播種機。
【発明の詳細な説明】
【技術分野】
【０００１】
本発明は、播種機に関する。
【背景技術】
【０００２】
育苗器に播種する播種機であって、前記育苗器を一方向に搬送する搬送経路を備え、該搬送経路に沿って該搬送経路の上手側から順に育苗器に床土を詰める床土詰装置と育苗器に播種する播種装置と育苗器に覆土する覆土装置とを設けた播種機が知られている（特許文献１参照。）。この種の播種機において、床土詰装置と播種装置の間又は播種装置と覆土装置の間に育苗器に灌水する灌水装置を設けたものがある。
【先行技術文献】
【特許文献】
【０００３】
【特許文献１】特開２００３−１０２２８３号公報
【発明の概要】
【発明が解決しようとする課題】
【０００４】
上記背景技術の播種機によると、灌水装置が育苗器に灌水した後に播種又は覆土を行うが、床土詰装置により育苗器に詰めた土が、例えば粒径の小さい吸水性の悪い土質であると、育苗器に詰めた床土の上面に灌水した水が吸水されずに溜まった状態で播種又は覆土され、床土の上面に播種された種子が溜まった水と共に床土と覆土の間に閉じ込められやすくなり、播種された種子が酸欠を起こし出芽不良となるおそれがある。
【０００５】
また、この不具合を回避するために、播種又は覆土までに育苗器に灌水した水が床土の上面に溜まらず吸水されるように、灌水装置の灌水位置から次工程の播種装置の播種位置又は覆土装置の覆土位置までの間隔を大きく設定すると、吸水性の良い土を床土詰めするときは前記間隔が不必要に大きいことになり、播種機が長くなって配置スペースを要し、播種作業の作業性も悪くなるおそれがある。
【０００６】
本発明の課題は、播種された種子が出芽不良となるのを防止し、播種作業の作業性が向上させ、床土供給作業及び覆土供給作業を容易に行え、誤って種子タンク６８へ床土又は覆土を供給することを防止する播種機を構成することにある。
【課題を解決するための手段】
【０００７】
この発明は、上記課題を解決するべく次のような技術的手段を講じた。
すなわち、請求項１に係る発明は、育苗器（２）に播種する播種機であって、前記育苗器（２）を一方向に搬送する搬送経路（３）を備え、該搬送経路（３）に沿って該搬送経路（３）の上手側から順に育苗器（２）に床土を詰める床土詰装置（６）と育苗器（２）に播種する播種装置（７）と育苗器（２）に覆土する覆土装置（８）とを設け、床土詰装置（６）には床土となる培土を貯留する床土タンク（５４）を設け、播種装置（７）には播種する種子を貯留する種子タンク（６８）を設け、覆土装置（８）には覆土となる培土を貯留する覆土タンク（８４）を設け、種子タンク（６８）の上端の開口よりも覆土タンク（８４）の上端の開口及び床土タンク（５４）の上端の開口を低位に配置し、搬送経路（３）に設けた左右の搬送ガイド（１５）の間で育苗器（２）を搬送する構成とし、搬送経路（３）は、床土詰部搬送コンベア（１７）、播種部搬送コンベア（１８）及び覆土部搬送コンベア（２８）を備え、育苗器（２）に灌水する灌水装置（２９）を設けた灌水部コンベア（６３）を設け、播種部搬送コンベア（１８）と覆土部搬送コンベア（２８）との間に覆土前コンベア（６４）を設け、灌水部コンベア（６３）を、装着することで灌水装置（２９）と播種装置（７）との間の距離が育苗器（２）の搬送方向の長さよりも長くなる構成とした伸長用のコンベアと、装着することで灌水装置（２９）と播種装置（７）との間の距離が育苗器（２）の搬送方向の長さよりも短くなる構成とした短縮用のコンベアとに付け替え可能な構成とし、覆土前コンベア（６４）を、装着することで播種装置（７）と覆土装置（８）との間の距離が育苗器（２）の搬送方向の長さよりも長くなる構成とした伸長用のコンベアと、装着することで播種装置（７）と覆土装置（８）との間の距離が育苗器（２）の搬送方向の長さよりも短くなる構成とした短縮用のコンベアとに付け替え可能な構成とし、灌水部コンベア（６３）を、床土詰装置（６）と播種装置（７）の間又は播種装置（７）と覆土装置（８）の間に選択的に装着できる構成とした播種機とした。
【０００８】
また、請求項２に係る発明は、床土タンク（５４）を変形可能な弾性体（１１３）を介して支持した請求項１に記載の播種機とした。
【発明の効果】
【０００９】
請求項１に係る発明によると、床土タンク５４への床土供給作業及び覆土タンク８４への覆土供給作業を低位で容易に行え、床土供給作業又は覆土供給作業を行うとき、誤って種子タンク６８へ床土又は覆土を供給することを防止できる。
【００１０】
また、床土の土質に拘らず播種又は覆土までに育苗器に灌水した水が床土の上面に溜まらず吸水されるように、灌水位置から播種位置又は覆土位置までの間隔を変更できるので、床土の上面に播種された種子が溜まった水と共に床土と覆土の間に閉じ込められて酸欠を起こし出芽不良となるのを防止できると共に、灌水位置から播種位置又は覆土位置までの間隔が不必要に大きくならないため、播種機が短くコンパクトになり、播種作業の作業性の向上が図れる。また、灌水装置２９の灌水作業で不具合があった育苗器２を即座に取り出すことができ、種子又は覆土の無駄を防ぐことができる。そして、各装置間の距離を変更できる。また、育苗器２への作業の不具合があっても、その直後で不具合のあった育苗器２を即座に取り出すことができ、無駄な作業を防止でき、床土や種子や覆土の無駄を防ぐことができる。しかも、潅水装置２９を、床土詰装置６と播種装置７の間又は播種装置７と覆土装置８の間に選択的に装着できる。
【００１１】
請求項２に係る発明によると、請求項１に係る発明の効果に加えて、変形可能な弾性体１１３により、作業者が床土を供給する度に床土タンク５４がその重みで揺れるので、床土タンク５４内での床土のブリッジ現象を防止でき、特に水田の土壌等、ブリッジ現象を生じ易い土壌を床土として使用するとき、床土の繰り出しを適正に行える。また、作業者がスコップ等で床土タンク５４に触れることで、床土タンク５４を揺らすこともできる。
【図面の簡単な説明】
【００１２】
【図１】播種機を示す平面図
【図２】播種機を示す側面図
【図３】育苗器供給装置の要部を示す平面図
【図４】育苗器供給装置の要部を示す側面図
【図５】下受板、上受板及び落とし板を示す斜視図
【図６】播種機を示す側面図
【発明を実施するための形態】
【００１３】
この発明の実施の一形態を、以下に説明する。
図１及び図２に示すように、播種機（１）は、例えば水稲苗用の矩形の育苗箱等の育苗器（２）を一方向に搬送する搬送経路（３）を備え、該搬送経路（３）上に支持され該搬送経路（３）に沿って該搬送経路（３）の上手側から順に、上下に複数枚に積み重ねられた育苗器（２）を下側から順に繰り出して搬送経路（３）上に供給する育苗器供給装置（４）と、育苗器（２）に床土を詰める床土詰装置（６）と、床土を詰めた育苗器（２）に灌水する灌水装置（２９）と、育苗器（２）に播種する播種装置（７）と、育苗器（２）に覆土する覆土装置（８）を設けている。尚、育苗器供給装置（４）及び床土詰装置（６）及び播種装置（７）及び覆土装置（８）の各々の装置は、他の装置と独立して単独で設置できるように前後左右計４本の脚部（９，１０）で支持されている。尚、覆土装置（８）の前側の左右の脚部（１０）には上下に回動するアーム（１１）を介して該脚部（１０）の下端より下方に突出させることができる車輪（１２）を各々取り付けており、該車輪（１２）を下方に突出させ播種機（１）を持ち上げて他の脚部（９）を地面から浮かせることにより、播種機（１）を容易に移動させることができる。
【００１４】
搬送経路（３）は、左右の搬送ガイド（１５）で構成され、この左右の搬送ガイド（１５）の間で長手方向を前後に向けた育苗器（２）を搬送する構成となっている。搬送経路（３）には、駆動するコンベアとして、ベルト式の育苗器搬送コンベアである育苗器供給部搬送コンベア（１６）及び床土詰部搬送コンベア（１７）と、ローラ式の育苗器搬送コンベアである播種部搬送コンベア（１８）及び覆土部搬送コンベア（２８）とを備えている。そして、非駆動でフリーで回転するローラ式のコンベアとして、育苗器供給部搬送コンベア（１６）と床土詰部搬送コンベア（１７）の間に床土詰前コンベア（６２）を設け、床土詰部搬送コンベア（１７）と播種部搬送コンベア（１８）の間に灌水部コンベア（６３）を設け、播種部搬送コンベア（１８）と覆土部搬送コンベア（２８）の間に覆土前コンベア（６４）を設け、覆土部搬送コンベア（２８）の後側に育苗器取出コンベア（７５）を設けている。
【００１５】
育苗器供給装置（４）は、上下に複数枚に積み重ねられた育苗器群を下側から受ける下受板（３４）と、前記育苗器群の下から２枚目の育苗器（２）を下側から受ける上受板（３５）と、育苗器群の最下位の育苗器（２）を強制的に下方へ落とす落とし板（３６）とを備え、人手等により上受板（３５）上に供給された育苗器群を先ず下受板（３４）上に引き継ぎ、上受板（３５）で育苗器群の下から２枚目の育苗器（２）から上側の育苗器（２）を支持した状態で下受板（３４）による育苗器群の最下位の育苗器（２）の支持を解除し、その状態で落とし板（３６）が最下位の育苗器（２）を上側から下方に押して育苗器群から分離して落下させて繰り出して育苗器供給部搬送コンベア（１６）上に供給し、以下この作動工程を繰り返すことにより育苗器群の下側の育苗器（２）から順に育苗器供給部搬送コンベア（１６）上に供給する構成となっている。尚、下受板（３４）、上受板（３５）及び落とし板（３６）は、育苗器群に作用する各々の部分が前後方向で重複しないように各々育苗器群の前後左右４箇所に設けられ、育苗器群の左右外側から作用し、育苗器供給部搬送コンベア（１６）の作動に連動し、育苗器供給部搬送コンベア（１６）上において先に供給した育苗器（２）と次に供給する育苗器（２）との間に隙間が生じないように作動する。伝動構成について説明すると、育苗器供給モータ（９４）に設けた出力スプロケット（９５）から搬送伝動チェーン（９６）及び駆動スプロケット（３８）へ伝動し、該駆動スプロケット（３８）と一体回転する搬送上手側のローラ（３７）を介して育苗器供給部搬送コンベア（１６）を駆動する。そして、駆動スプロケット（３８）からチェーン（３９）及び従動スプロケット（４０）を介して第一のカウンタ軸（４１）へ伝動し、該第一のカウンタ軸（４１）と一体回転する駆動スプロケット（４２）からチェーン（４３）、従動スプロケット（４４）及び一方向クラッチを介して第二のカウンタ軸（４５）へ伝動し、該第二のカウンタ軸（４５）の左右両端部に設けた駆動ベベルギヤ（４６）から従動ベベルギヤ（４７）を介して左右各々の落とし用軸（４８）を互いに反対側に駆動回転させる。この落とし用軸（４８）と落とし板（３６）とが一体回転し、落とし板（３６）が左右内側で下側に移行する方向に回転する。また、落とし用軸（４８）の他端部からアーム（４９，５１）及びリンク（５０）等を介して落とし用軸（４８）の上方に位置する各々の受板用軸（５２）を所定角度範囲内で揺動させ、該受板用軸（５２）と一体回転する下受板（３４）及び上受板（３５）を揺動させ、下受板（３４）と上受板（３５）とを育苗器群に交互に作用させて、育苗器群を順次下降させる。また、第二のカウンタ軸（４５）を手動で回転させるための手動供給操作具となる手動供給レバー（５３）を設けており、該手動供給レバー（５３）により作業者が任意に育苗器供給部搬送コンベア（１６）上に育苗器（２）を落下させて供給することができる。
【００１６】
床土詰装置（６）は、床土となる培土を貯留する床土タンク（５４）と、該床土タンク（５４）内の床土を所定量ずつ繰り出して育苗器（２）へ落下させて供給する床土繰出具となる床土繰出ベルト（５５）と、育苗器（２）上で溢れる床土を均す均平具となる均平ブラシ（１９）と、育苗器（２）内に突入して床土を鎮圧する床土鎮圧具となる床土鎮圧ローラ（５７）と、床土繰出ベルト（５５）上の隙間を調節して床土の繰出量を変更調節する床土量調節具となる床土量調節レバーを備え、床土繰出ベルト（５５）が床土を供給する搬送経路（３）上の床土詰位置の搬送下手側に均平ブラシ（１９）が位置し、均平ブラシ（１９）の搬送下手側に床土鎮圧ローラ（５７）が位置する。床土詰装置（６）の伝動構成について説明すると、床土繰出モータ（２０）により床土繰出ベルト（５５）が駆動し、該床土繰出ベルト（５５）から歯車伝動機構を介して均平ブラシ（１９）が駆動する。また、床土詰搬送モータ（２１）に設けた出力スプロケット（９７）から搬送伝動チェーン（５９）を介して駆動スプロケット（６０）へ伝動し、該駆動スプロケット（６０）と一体回転する搬送下手側のローラ（６１）により床土詰部搬送コンベア（１７）を駆動する。尚、均平ブラシ（１９）と床土繰出ベルト（５５）とが互いに逆方向に回転するようになっている。尚、床土繰出モータ（２０）又は床土詰搬送モータ（２１）の一方の駆動で、床土繰出ベルト（５５）と均平ブラシ（１９）と床土詰部搬送コンベア（１７）へ伝動する構成としてもよい。
【００１７】
播種装置（７）は、播種する種子（種籾）を貯留する種子タンク（６８）と、該種子タンク（６８）内の種子を間欠的に所定量ずつ繰り出して育苗器（２）へ落下させて播種位置で供給する外周に所定のピッチで複数の繰出溝を備える種子繰出具となる種子繰出ローラ（６９）と、該種子繰出ローラ（６９）の外周面に接触して該種子繰出ローラ（６９）の繰出溝から溢れる種子を除去する除去ブラシ（７０）と、種子繰出ローラ（６９）に臨む種子タンク（６８）の出口の隙間を調節して種子繰出ローラ（６９）への種子の供給状態を変更調節する種子供給調節具となる種子供給調節ハンドル（７２）を備える。播種装置（７）の伝動構成について説明すると、播種モータ（６５）に設けた出力スプロケット（６６）から繰出伝動チェーン（６７）を介して種子繰出ローラ（６９）へ伝動され、前記出力スプロケット（６６）から第一除去チェーン（７３）及び第二除去チェーン（７４）を介して除去ブラシ（７０）へ伝動され、前記出力スプロケット（６６）から搬送伝動チェーン（７１）を介して播種部搬送コンベア（１８）の搬送下手側のローラ（７５）へ伝動し、該搬送下手側のローラ（７５）からチェーン（７７）を介して搬送上手側のローラ（７６）へ伝動する。尚、搬送上手側のローラ（７６）と搬送下手側のローラ（７５）の間に、播種位置がある。尚、除去ブラシ（７０）及び播種部搬送コンベア（１８）と種子繰出ローラ（６９）とが互いに逆方向に回転するべく、第一除去チェーン（７３）と搬送伝動チェーン（７１）を側面視で交差するように巻き掛けている。尚、種子繰出ローラ（６９）の外周部において除去ブラシ（７０）の位置と播種位置との間には、繰出溝から種子が脱落しないように該繰出溝を覆うガイド体を設けている。
【００１８】
覆土装置（８）は、覆土となる培土を貯留する覆土タンク（８４）と、該覆土タンク（８４）内の覆土を所定量ずつ繰り出して育苗器（２）へ落下させて覆土位置で供給する覆土繰出具となる覆土繰出ベルト（８５）と、育苗器（２）上で溢れる覆土を均す均平具となる均平板（８６）と、覆土繰出ベルト（８５）上の隙間を調節して覆土の繰出量を変更調節する覆土量調節具となる覆土量調節レバーとを備え、覆土繰出ベルト（８５）が覆土を供給する搬送経路（３）上の覆土位置の搬送下手側に均平板（８６）が位置する。覆土装置（８）の伝動構成について説明すると、覆土モータ（７８）により覆土繰出ベルト（８５）が駆動し、覆土モータ（７８）に設けた出力スプロケット（７９）から搬送伝動チェーン（８０）を介して覆土部搬送コンベア（２８）の搬送下手側のローラ（８１）へ伝動し、該搬送下手側のローラ（８１）からチェーン（９８）を介して搬送上手側のローラ（８２）へ伝動する。尚、搬送上手側のローラ（８２）と搬送下手側のローラ（８１）の間に、覆土位置がある。尚、覆土繰出ベルト（８５）と覆土部搬送コンベア（２８）とが互いに逆方向に回転するべく、搬送伝動チェーン（８０）を側面視で交差するように巻き掛けている。
【００１９】
覆土装置（８）の前側の脚部（１０）には、育苗器搬送コンベアを手動で回転させるための操作具となる手動搬送ハンドル（９２）をフック（９３）を介して保持している。この手動搬送ハンドル（９２）により、播種装置（７）で播種をしている途中で故障で播種機（１）が停止したときや播種作業を終了するために播種機（１）を停止させたとき、手動で育苗器（２）を搬送して該育苗器（２）を播種機（１）から容易に取り出すことができる。
【００２０】
灌水装置（２９）は、灌水部コンベア（６３）の上側に設けられ、灌水部コンベア（６３）の左右の搬送ガイド（１５）から各々立ち上がる左右の支持フレーム（１００）を設け、左右に配列される複数のノズルを備える左右に延びる灌水パイプ（９９）を、左右の支持フレーム（１００）で両持ち支持している。該灌水パイプ（９９）すなわち灌水位置は、灌水部コンベア（６３）の搬送上手寄りの位置に配置されている。
【００２１】
床土詰前コンベア（６２）及び灌水部コンベア（６３）及び覆土前コンベア（６４）及び育苗器取出コンベア（７５）の各々のコンベアは、左右の搬送ガイド（１５）の前後端部で搬送上手側及び搬送下手側の装置に嵌る嵌合部材（１０１）により、播種機（１）本体に対して独立して個別に着脱可能に設けられている。従って、図６に示すように、これらのコンベアを短いものに組み替えることにより、各装置間の距離を変更でき、ひいては灌水装置の灌水位置から次工程の播種装置（７）の播種位置及び覆土装置（８）の覆土位置までの間隔を変更できる。また、床土詰前コンベア（６２）及び灌水部コンベア（６３）及び覆土前コンベア（６４）及び育苗器取出コンベア（７５）の各々のコンベアは、育苗器（２）の長手方向の長さ（６０ｃｍ）より長く設定されている。従って、育苗器供給装置（４）と床土詰装置（６）と播種装置（７）と覆土装置（８）の何れの装置で育苗器（２）への作業の不具合があっても、その直後で不具合のあった育苗器（２）を即座に取り出すことができ、無駄な作業を防止でき、床土や種子や覆土の無駄を防ぐことができる。しかも、灌水部コンベア（６３）の灌水位置より後側部分自体が育苗器（２）の長手方向の長さ（６０ｃｍ）より長く設定されているので、灌水作業で不具合があった育苗器（２）を即座に取り出すことができ、種子や覆土の無駄を防ぐことができる。
【００２２】
また、灌水部コンベア（６３）を播種装置（７）と覆土装置（８）の間に組み付けることにより、播種装置（７）と覆土装置（８）の間に灌水装置（２９）を配置することができる。あるいは、灌水部コンベア（６３）を覆土装置（８）の後側に組み付けることにより、覆土後に灌水する構成とすることもできる。これらの場合も、灌水部コンベア（６３）を組み替えて該灌水部コンベア（６３）の長さを変更できる構成とすればよい。
【００２３】
以上により、この播種機（１）は、育苗器（２）に播種する播種機であって、前記育苗器（２）を一方向に搬送する搬送経路（３）を備え、該搬送経路（３）に沿って該搬送経路（３）の上手側から順に育苗器（２）に床土を詰める床土詰装置（６）と育苗器（２）に播種する播種装置（７）と育苗器（２）に覆土する覆土装置（８）とを設け、床土詰装置（６）と播種装置（７）の間又は播種装置（７）と覆土装置（８）の間に育苗器（２）に灌水する灌水装置（２９）を設け、灌水部コンベア（６３）を組み替えることにより、灌水装置（２９）の灌水位置から次工程の播種装置（７）の播種位置及び覆土装置（８）の覆土位置までの間隔を変更できる構成とした。
【００２４】
従って、搬送経路（３）に沿って育苗器（２）を搬送させることにより、育苗器（２）に床土を詰め、播種し、覆土する。また、育苗器（２）に床土を詰めた後の覆土する前に、育苗器（２）に灌水する。そして、例えば水田の土壌等、吸水性の悪い土を床土詰めするときは、灌水部コンベア（６３）を長いものに組み替えることで灌水位置から播種位置及び覆土位置までの間隔を大きく変更し、播種及び覆土までに育苗器に灌水した水が床土の上面に溜まらず吸水されるようにできる。逆に、吸水性の良い土を床土詰めするときは、灌水部コンベア（６３）を短いものに組み替え、灌水位置から播種位置及び覆土位置までの間隔を、播種及び覆土までに育苗器に灌水した水が床土の上面に溜まらず吸水される適宜の間隔に短く変更できる。
【００２５】
よって、床土の土質に拘らず播種及び覆土までに育苗器に灌水した水が床土の上面に溜まらず吸水されるように、灌水位置から播種位置及び覆土位置までの間隔を変更できるので、床土の上面に播種された種子が溜まった水と共に床土と覆土の間に閉じ込められて酸欠を起こし出芽不良となるのを防止できると共に、灌水位置から播種位置及び覆土位置までの間隔が不必要に大きくならないため、播種機が短くコンパクトになり、作業者が、育苗器供給装置（４）へ空の育苗器（２）を供給したり、床土詰装置（６）の床土タンク（５４）へ床土を供給したり、播種装置（７）の種子タンク（６８）へ種子を供給したり、覆土装置（８）の覆土タンク（８４）へ覆土を供給したり、育苗器取出コンベア（７５）から播種作業が終わった育苗器（２）を取り出したりする作業において、相互の作業をあまり移動せずに容易に行え、播種作業の作業性の向上が図れる。
【００２６】
尚、種子タンク（６８）の上端の開口より覆土タンク（８４）の上端の開口を低位に設け、覆土タンク（８４）の上端の開口より床土タンク（５４）の上端の開口を低位に設けている。これにより、使用量が多いため作業者が頻繁に床土タンク（５４）へスコップで床土を供給しなければならないが、この床土供給作業を低位で容易に行え、次いで供給頻度が高い覆土タンク（８４）への覆土供給作業を容易に行える。しかも、種子タンク（６８）の上端の開口が高位となるので、床土供給作業又は覆土供給作業を行うとき、誤って種子タンク（６８）へ床土又は覆土を供給するようなことを防止でき、土が供給されることで播種装置（７）が故障するようなことを防止できる。
【００２７】
床土タンク（５４）は変形可能なゴム製の弾性体（１１３）を介して支持されており、作業者が床土を供給する度にその重みで揺れる構成となっている。これにより、床土タンク（５４）内での床土のブリッジ現象を防止でき、特に水田の土壌等、ブリッジ現象を生じ易い土壌を床土として使用するとき、床土の繰り出しを適正に行える。尚、作業者がスコップ等で床土タンク（５４）に触れることで、床土タンク（５４）を揺らすこともできる。
【００２８】
また、左右幅がコンベアの左右幅より小さい（３０ｃｍ未満の）育苗器（１１０）に播種作業を行うときは、図１に示すように、コンベアの左右一方側にコンベア搬送方向の適宜間隔で複数の規制ガイド（１１２）を取り付け、コンベア上の育苗器（１１０）の左右位置を規制するようにすればよい。このとき、播種装置（７）で繰り出される種子が前記左右一方側の部分で無駄になるので、この種子を受ける受け容器（１１１）を播種装置（７）下方で前記左右一方側の位置に配置すればよい。
【００２９】
尚、前述では、床土詰前コンベア（６２）及び灌水部コンベア（６３）及び覆土前コンベア（６４）及び育苗器取出コンベア（７５）の各々のコンベアを組み替えて、該コンベアの長さを変更する方法について説明したが、これらのコンベアを伸縮できる構成として長さを変更する構成としてもよい。このときは、該コンベアの左右の搬送ガイド（１５）を前後に複数に分割して重複させることによりコンベアを縮小し、該コンベアのローラの互いの間隔が変更される構成とすればよい。
【００３０】
また、前述では、育苗器供給装置（４）と床土詰装置（６）と灌水装置（２９）と播種装置（７）と覆土装置（８）を独立して構成したが、育苗器供給装置（４）と床土詰装置（６）を一体で構成し、播種装置（７）と覆土装置（８）を一体で構成し、灌水部コンベア（６３）のみ組み替え又は伸縮できる構成としてもよい。
【図１】
0005761145.tif 000002
【図２】
0005761145.tif 000003
【図３】
0005761145.tif 000004
【図４】
0005761145.tif 000005
【図５】
0005761145.tif 000006
【図６】
0005761145.tif 000007